(57)【特許請求の範囲】
【請求項１】
被検体の関心対象を検査するためのＸ線検査装置であって、
対象データ及び非対象データを含む、Ｘ線イメージングにより取得された前記関心対象の画像の画像データを提供するストレージユニットと、
処理ユニットと、
を有し、前記処理ユニットが、
前記画像データから、前記対象データ及び前記非対象データをセグメント化するステップと、
等高線であり、前記関心対象の境界から一定の距離のところに延在し又は前記関心対象の一定の厚さに沿って延在するラインを決定するステップと、
前記等高線に沿って前記対象データの最小フィルタリングを実施し、それにより、前記等高線に位置する第１のピクセルのより高い強度値を、前記等高線に位置し及び前記第１のピクセルの近傍に位置する第２のピクセルのより低い強度値によって置き換えることによって、最小フィルタード画像を生成するステップと、
前記対象データの周辺均等化を実施するステップと、
前記最小フィルタード画像をローパスフィルタリングすることによってバックグラウンドデータ評価を決定するステップと、
前記バックグラウンドデータ評価を前記画像データから減算するステップと、
所望の均質なバックグラウンド減衰画像を前記画像データに加算するステップと、
を実施する、検査装置。
【請求項２】
前記処理ユニットが、最小フィルタリングに先立って、ローパスフィルタを使用して前記対象データをプレブラー処理するように構成される、請求項１に記載の検査装置。
【請求項３】
前記等高線が、スペクトルデータの評価によって決定される、請求項１又は２に記載の検査装置。
【請求項４】
前記等高線は、前記非対象データ、前記画像データ、又は前記対象データから、前記関心対象の境界を識別することによって決定される、請求項１又は２に記載の検査装置。
【請求項５】
前記等高線に沿った前記対象データの前記最小フィルタリングが、前記第１のピクセルの選択、前記第１のピクセルの強度値の決定、前記等高線に位置し及び前記第１のピクセルと隣接する予め決められた数のピクセルの強度値の決定、及び前記予め決められた数の隣接するピクセルのうち最も低い強度値による、前記第１のピクセルの強度値の置き換え、を含む、請求項１乃至４のいずれか１項に記載の検査装置。
【請求項６】
前記対象データの前記周辺均等化がローパスフィルタリングを含む、請求項１乃至５のいずれか１項に記載の検査装置。
【請求項７】
前記検査装置が、２次元マンモグラフィ検査装置及びトモシンセシス検査装置の一方である、請求項１乃至６のいずれか１項に記載の検査装置。
【請求項８】
処理ユニットによって実行される際、前記処理ユニットに、
対象データ及び非対象データを含む、Ｘ線イメージングにより取得された被検体の関心対象の画像の画像データにアクセスするステップと、
前記非対象データから前記対象データをセグメント化するステップと、
等高線であり、前記関心対象の境界から一定の距離のところに延在する又は前記関心対象の一定の厚さに沿って延在するラインを決定するステップと、
前記等高線に沿って前記対象データの最小フィルタリングを実施し、それにより、前記等高線上に位置する第１のピクセルのより高い強度値を、前記等高線上に位置し及び前記第１のピクセルの近傍に位置する第２のピクセルのより低い強度値によって置き換えることによって、最小フィルタード画像を生成するステップと、
前記最小フィルタード画像をローパスフィルタリングすることよってバックグラウンドデータ評価を決定し、前記バックグラウンドデータ評価を前記画像データから減算し、所望の均質のバックグラウンド減衰画像を前記画像データに加算することによって、前記対象データの周辺均等化を実施するステップと、
を実行させるためのプログラム要素を有するコンピュータ可読媒体。
【請求項９】
処理ユニットによって実行される際、前記処理ユニットに、
対象データ及び非対象データを含む、Ｘ線イメージングにより取得された被検体の関心対象の画像の画像データにアクセスするステップと、
前記非対象データから前記対象データをセグメント化するステップと、
等高線であり、前記関心対象の境界から一定の距離のところに延在する又は前記関心対象の一定の厚さに沿って延在するラインを決定するステップと、
前記等高線に沿って前記対象データの最小フィルタリングを実施し、それにより、前記等高線上に位置する第１のピクセルのより高い強度値を、前記等高線上に位置し及び前記第１のピクセルの近傍に位置する第２のピクセルのより低い強度値によって置き換えることによって、最小フィルタード画像を生成するステップと、
前記最小フィルタード画像をローパスフィルタリングすることよってバックグラウンドデータ評価を決定し、前記バックグラウンドデータ評価を前記画像データから減算し、所望の均質のバックグラウンド減衰画像を前記画像データに加算することによって、前記対象データの周辺均等化を実施するステップと、
を実行させるコンピュータプログラム。
【請求項１０】
被検体の関心対象を検査する方法であって、
対象データ及び非対象データを含む、Ｘ線イメージングにより取得された前記関心対象の画像の画像データにアクセスするステップと、
前記非対象データから前記対象データをセグメント化するステップと、
等高線であり、前記関心対象の境界から一定の距離のところに延在する又は前記関心対象の一定の厚さに沿って延在するラインを決定するステップと、
前記等高線に沿って前記対象データの最小フィルタリングを実施し、それにより、前記等高線上に位置する第１のピクセルのより高い強度値を、前記等高線上に位置し及び前記第１のピクセルの近傍に位置する第２のピクセルのより低い強度値によって置き換えることによって、最小フィルタード画像を生成するステップと、
前記最小フィルタード画像をローパスフィルタリングすることよってバックグラウンドデータ評価を決定し、前記バックグラウンドデータ評価を前記画像データから減算し、所望の均質のバックグラウンド減衰画像を前記画像データに加算することによって、前記対象データの周辺均等化を実施するステップと、
を含む方法。
【発明の詳細な説明】
【技術分野】
【０００１】
本発明は、Ｘ線イメージングの分野に関する。特に、本発明は、関心対象を検査する検査装置、関心対象を検査する方法、コンピュータ可読媒体、及びプログラム要素に関する。
【背景技術】
【０００２】
Ｘ線イメージングにおいて、Ｘ線検査装置によって検査される関心のある対象は、特にその周辺部に、すなわちその境界領域に、一定でない厚さを有することがある。
【発明の概要】
【発明が解決しようとする課題】
【０００３】
マンモグラフィ及び乳房トモシンセシスにおいて、患者の乳房、すなわち関心対象は、２つの圧迫パドルの間で圧迫され、Ｘ線源を使用してスキャンされることができる。周辺領域においては、乳房はパドルと接触せず、Ｘ線のＸ線減衰が、対象の中心領域より小さくなりうる。ビューのために単一のグレースケールウィンドウを与えるために、この効果は、補償される必要がありうる。この目的のために、いわゆる周辺均等化(peripheral equalization)方法が使用されることができる。
【０００４】
ULRICH BICK ET AL: "Density Correction of Peripheral Breast Tissue on Digital Mammograms", RADIOGRAPHICS, vol. 16, no. 6, 1 November 1996 (1996-11-01), pages 1403-1411は、デジタルマンモグラムがビデオディスプレイ上でビューされる検査装置を記載する。マンモグラム上における女性乳房の暗い周辺部分を選択的に改善する（すなわち密度補正）ためのアルゴリズムが開発されている。
【０００５】
関心対象の周辺領域において該関心対象の画像を改善することが望ましい。
【課題を解決するための手段】
【０００６】
本発明の見地は、独立請求項に記述される。利点及び他の実施形態は、従属請求項、説明及び図面に記述される。
【０００７】
本発明の第１の見地は、関心対象を検査するための検査装置に関する。検査装置は、ストレージユニット及び処理ユニットを有する。ストレージユニットは、女性乳房のような関心対象の画像の画像データを記憶し、それを処理ユニットに提供するように設計される。画像データは、関心対象に関連する対象データと、関心対象の外側の領域に関連する非対象データと、を含む。
【０００８】
処理ユニットは、非対象データからの対象データのセグメント化を実施し、等高線（iso-contour）であって、関心対象の境界から一定の距離のところに延在し及び／又は関心対象の一定の厚さの領域に延在するラインを決定するようにプログラムされる。
【０００９】
処理ユニットは更に、等高線に沿って対象データの最小フィルタリングを実施し、それによって、前記等高線上に位置する第１のピクセルのより高い強度値を、第１のピクセルの近傍の前記等高線上に位置する第２のピクセルのより低い強度値によって置き換えることによって、関心対象の最小フィルタード画像を生成するようにプログラムされ、かかる第２のピクセルは、例えば第１のピクセルの隣のピクセルであり、又は、第１のピクセルと第２のピクセルとの間に数ピクセル（例えば多くとも２０又は３０）があってもよい。こうして、新しい最小フィルタード画像が生成される。処理ユニットは更に、最小フィルタード画像の生成後、対象データの周辺均等化を実施するようにプログラムされる。
【００１０】
本発明の要旨は、対象データの周辺均等化が、乳房の皮膚ラインまで等しい距離を有する経路に沿って減衰最小を見つけることによって改善されることと理解されることができる。これは、高減衰構造の周りの厚さの過大評価を低減することを助けることができ、多くの場合、これは、従来の周辺均等化によってもたらされるアンダーシュートアーチファクトを低減することを助けることができる。
【００１１】
処理ユニットは、周辺均等化の間、最小フィルタード画像をローパスフィルタリングすることによってバックグラウンドデータ評価の決定を実施し、バックグラウンドデータ評価を画像データから減算し、所望の均質なバックグラウンド減衰画像を、バックグラウンドデータ評価が減算された画像データに加えるように構成され、すなわちプログラムされる。
【００１２】
本発明の例示的な実施形態によれば、処理ユニットは、ローパスフィルタを使用して、最小フィルタリングに先立って対象データのプレブラー処理（事前のブラー処理、pre-blurring）を実施するように適応される。
【００１３】
等高線は、検査プロシージャ中に取得されるスペクトルデータの評価によって決定されることができる。スペクトルＸ線イメージングにおいて、入力光子のエネルギーを判別することができる検出器が使用されることができる。このような検出器の１つの例は、少なくとも２つのエネルギー閾値を有する光子計数検出器である。Ｘ線管と検出器との間で行われるＸ線減衰は、主に、２つの大きな効果、すなわち光電効果及びコンプトン散乱に基づく。こうして、検出器の異なるエネルギーレベルからの測定を、これらの２つの効果に、すなわち光電効果及びコンプトン散乱により測定された減衰に、変換することが可能でありうる。
【００１４】
マンモグラフィイメージングの場合、この変換は、代替として、腺組織及び脂肪組織が異なる光電／コンプトン特性を有するので、これら腺組織及び脂肪組織の交差長の評価を与えるために較正されることができる。
【００１５】
測定された光子強度又はカウントを、複数の異なる材料を通る交差長の評価にマッピングするプロセスは、材料分解と呼ばれる。このプロセスは、関数を利用し、又はルックアップテーブルを利用するものでありえ、検出器素子のビームに、既知のそれぞれ異なる材料組成を挿入することによって、各検出器ごとに直接に較正される必要がありうる。こうして、２又はそれより多くのエネルギービンから受け取った検出器測定値を、較正された材料組み合わせに変換するマッピングが、導出されることができる。
【００１６】
本発明の別の例示的な実施形態によれば、等高線が、非対象データ、対象データ、及び／又は画像データから、関心対象の境界を識別することによって決定される。関心対象が乳房である場合、境界は、乳房の皮膚である。
【００１７】
こうして、等高線は、対象の境界を識別し、関心対象まで一定の距離をもつ、境界ラインと平行なラインとして等高線を規定することによって、幾何学的に決定される。
【００１８】
検査装置は、等高線に沿った対象データの最小フィルタリングが、第１のピクセルの選択、第１のピクセルの強度値の決定、第１のピクセルを通る等高線上に位置する、予め決められた数の各近傍ピクセルの各強度値の決定、を含み、それら近傍ピクセルが第１のピクセルと隣接する、というやり方で適応されることができる。対象データの最小フィルタリングによって生成される画像（すなわち「最小フィルタード画像」）において、より低い強度値が存在する場合、第１のピクセルの強度値を、予め決められた数の近傍ピクセルの最も低い強度値と置き換えることが実施される。第１のピクセルの強度値が、予め決められた数の近傍ピクセルの最も低い強度値より低い又はそれに等しい場合、強度値の置き換えは行われない。元の画像、すなわち元の対象データは、この最小フィルタリングプロセスの間、変更されなくてもよいが、最小フィルタード画像が生成される。
【００１９】
その後、対応する最小フィルタリングが、第１のピクセルの隣のピクセルについて実施され、これは、（近傍ピクセルが、第１のピクセルの隣のピクセルより低い強度値を有する場合、）対象データの最小フィルタリングによって生成される画像の更新を生じさせることができ、かかる更新は、対象の周辺領域のすべてのピクセルが最小フィルタリングされ、最小フィルタード画像が生成されるまで実施される。
【００２０】
本発明の別の例示的な実施形態によれば、対象データの周辺均等化は、ローパスフィルタリングを含む。
【００２１】
検査装置は、２次元マンモグラフィ検査装置又はトモシンセシス検査装置として適応されることができる。
【００２２】
本発明の別の見地は、関心対象を検査する方法に関し、方法において、対象データ及び非対象データを含む関心対象の画像の画像データが取得される。次に、非対象データからの対象データのセグメント化が実施され、等高線であって、関心対象の境界から一定の距離のところに延在し及び／又は関心対象の一定の厚さに沿って延在するラインが、決定される。
【００２３】
対象データの最小フィルタリングは、等高線に沿って実施され、それによって、等高線上に位置する第１のピクセルのより高い強度値を、該等高線上に位置し及び第１のピクセルの近傍に位置する第２のピクセルのより低い強度値によって置き換え、その結果として、最小フィルタード画像を与える。その後、対象データの周辺均等化が実施される。
【００２４】
本発明の別の見地は、処理ユニットによって実行される際、処理ユニットに上述の（及び詳しく後述される）方法の各ステップを実行させるように命じるように適応されるプログラム要素を含むコンピュータ可読媒体に関する。
【００２５】
本発明の１つの見地により、処理ユニットによって実行される際、処理ユニットに上述の（及び詳しく後述される）方法の各ステップを実行させるように適応されるプログラム要素が提供される。
【００２６】
本発明のこれらの及び他の見地は、以下に記述される実施形態から明らかであり、それらを参照して説明される。
【図面の簡単な説明】
【００２７】
【図１】本発明の例示的な実施形態による検査装置を示す図。
【図２】乳房の３つの画像を示す図。
【図３】本発明の例示的な実施形態による方法の各ステップを示す図。
【図４】ピクセルが等高線に沿って配置されている該等高線を示す図。
【図５】本発明の例示的な実施形態による方法のフローチャート。
【発明を実施するための形態】
【００２８】
図面は、概略的であり、一定の縮尺で描かれていない。同じ参照符号が、それぞれ異なる図面において使用されている場合、それらは、同一の又は同様の構成要素に関連しうる。しかしながら、同様の又は同一の構成要素は、それぞれ異なる参照符号よって標識化されることもできる。
【００２９】
図１は、本発明の例示的な実施形態による検査装置１００を示す。検査装置は、スペクトルＸ線検査装置、マンモグラフィ検査装置、及び／又はトモシンセシス検査装置として適応されることができる。
【００３０】
検査装置１００は、Ｘ線源１２３を有し、Ｘ線源１２３からのＸ線は、関心対象１０２、すなわち女性乳房に向かって放出されることができる。乳房は、２つ圧迫パドル又は圧迫プレート１２１、１２２の間に位置付けられる。乳房のより中心の領域１２４は、充分に圧迫され、一定の厚さを有し、乳房のより周辺の領域１２５は、部分的にのみ圧迫され、周辺縁部１０６、すなわち乳房の境界ライン又は皮膚ラインに向かって減少する厚さを有する。
【００３１】
関心対象の反対側には、関心対象を通過したＸ線源の放射線を検出する検出器アレイ１２６が配置されることができる。
【００３２】
検査装置１００は、ストレージユニット１０１に接続される処理ユニット１０３によって制御され、検査装置によって取得される画像データが、ストレージユニット１０１に記憶される。
【００３３】
マンモグラフィ及び乳房トモシンセシスにおいて、放射線医は、単一グレースケールレベル及びウインドウを使用して、すべての適切な画像の詳細を見ることを望むことがある。乳房１０２の減衰は、皮膚ライン１０６に向かって延在する非圧迫領域１２５ではより低く、いわゆる周辺均等化が、好適な平均乳房減衰まで減衰レベルを上げるために実施されることができ、これは、単一レベル／ウィンドウセッティングにフィットする。周辺均等化は、個別の領域の乳房（バックグラウンドデータ評価）の評価された平均減衰を減算し、一般に一様である所望のバックグラウンド減衰レベルを加算することによって、実施されることができる。バックグラウンドデータ評価を得るやり方は、ローパスフィルタリングによって、対象データ、すなわち乳房の画像をブラー処理することである。
【００３４】
しかしながら、画像をブラー処理することは、より高い減衰を有する組織が、評価される平均減衰を増大させることを意味する。過大評価された値で画像を補正することは、特に高コントラスト構造の近くにアンダーシュートを引き起こしうる。これは、図２の画像２０２に示される（２つの矢印を参照）。参照数字２０１は、均等化のない元の画像を示す。
【００３５】
本発明の例示的な実施形態により、最小フィルタリングが、等高線１０４に沿って実施され、かかる等高線１０４は、皮膚ライン１０６まで一定の距離を有するカーブしたラインである。理想的な例では、脂肪バックグラウンド組織のみが考慮され、脂肪バックグラウンド組織は、より少ない減衰を有し、腺組織のような構造ではなく、線組織は、より高い密度を有しうるがボリューム内で必ずしもより長い交差長をもたない。評価からこれらの構造を得ることは、乳房厚さの過大評価及び更にアンダーシュートを低減することができる。
【００３６】
本発明の例示的な実施形態によれば、可能な場合、バックグラウンド評価のためのブラー処理の方法は、対象データから高コントラスト組織ピクセル値を取り除くことによって拡張される。
【００３７】
これは、第１のピクセルの近傍にあるピクセルの中から最小強度のピクセル値を見つけることによって、行われることができ、すべてのこれらのピクセルは、皮膚ラインまでほぼ同じ距離を有し、及び／又は乳房の厚さが経路に沿って一定である該経路上に位置する。このアプローチは、バックグラウンドデータ評価から高減衰ピクセル値を取り除き、それらを低減衰組織ピクセル値で置き換えることができる。理想的な例において、これらは、脂肪組織が存在する場合には脂肪組織値である。
【００３８】
最小フィルタリングの後、通常の周辺均等化が実施されることができ、これは、図２のピクチャ２０３から分かるように、より少ないオーバーシュートをもたらすことができる。更に、周辺領域におけるより高減衰構造（例えば腺組織）の強度値は、充分に圧迫された領域の対応する構造とより適合したものになる。
【００３９】
ダイアグラム２０４は、画像２０１（プロット２０５を参照）、画像２０２（プロット２０６を参照）、及び本発明の例示的な実施形態（プロット２０７を参照）に従って処理された画像２０３に関する、交差２０８に沿ったピクセル強度を示す。ダイアグラム２０４から分かるように、プロット２０７は、元の画像（プロット２０５）より及び最小フィルタリングなしの従来の周辺均等化によって処理された画像２０２より、一層コンスタントなピクセル値を反映する。
【００４０】
図３は、対象データ１０７及び非対象データ１０８を含む乳房１０２の元の画像データを示す。分離ステップにおいて、画像データは、２つのデータセットに分けられ、一方は、対象データを含み、他方は、非対象データを含む。対象データから生成された画像において、等高線１０４が規定され、等高線１０４は、関心対象１０２の皮膚ライン１０６から一定の距離１０５を有する。
【００４１】
本発明の１つの見地によれば、最小フィルタリングが、乳房の複数の等高線に沿って実施され、それらの等高線は、乳房の周辺領域（乳房が一定でない厚さをもつところ）に位置する。方法は、それらの等高線に沿った乳房の厚さがほぼ等しいものであるという考えに基づく。更に、低減衰の脂肪組織は、高減衰の腺組織よりもバックグラウンド評価として適切でありえ、従って、脂肪組織が好ましい。最小フィルタリングは、選択された第１のピクセルの局所的な近傍においてのみ実施されることができ、従って、乳房バックグラウンドのバリエーションは、考慮される必要がない。最小フィルタリングが高減衰組織のみを見出す場合、フィルタ出力は、従来のアプローチと比べて少なくとも悪くはならない。
【００４２】
スペクトルトモシンセシスの場合、このアプローチは、以下のように洗練されることができる。測定中に取得されるデータから、どれくらいの量の腺組織及び脂肪組織が対応するＸ線によって横切られたかについての評価が導出されることができる。正確な厚さ均等化のために、ボリュームの各部分における脂肪組織量を再構成する必要がありえるが、それは、制限された切断角度のため可能でないことがある。その代わりに、脂肪組織ボリュームが、例えばシフト加算方法又は反復法のような標準方法によって、近似的に再構成されることができ、これらの値は、厚さ均等化のための脂肪バックグラウンドの近似的な評価として使用されることができる。代替として、乳房の近似高さマップが、３Ｄで、例えばボクセルを通る異なる交差長の平均で、再構成されることができ、これらの値は、最小フィルタリングのための等高線評価として使用されることができる。
【００４３】
更に、スペクトルイメージングは、２Ｄマンモグラフィイメージングの厚さ均等化問題を解決することを助けることもできる。乳房高さマップは、国際公開第2014097026A1号明細書に記載されるように生成されることができ、所与の最小フィルタリング方法のための実際の等高線ラインを導き出すために使用されることができる。代替として、測定された乳房高さの値は、圧迫パドルの間の距離の差及び所与のＸ線で測定された乳房厚さに従って、均質な減衰（例えば脂肪組織の減衰）を加算することによって、周辺均等化を実施するために使用されることができる。言い換えると、Ｘ線ビーム内の空気との交差長は、例えば脂肪組織で仮想的に充填され、これは、均質な画像外観につながる。
【００４４】
図４は、複数のピクセルを横切る等高線１０４を示す。等高線１０４に沿った対象データの最小フィルタリングの間、等高線上の第１のピクセル１０９が識別され、その強度値が決定される。更に、近傍の第２のピクセル１１０の強度値が、決定され、これらの強度値のうちの１つが第１のピクセル１０９の強度値より低い場合、第１のピクセルの値が、この（最小）強度値によって置き換えられ、こうして、最小フィルタード画像を生成する。この最小フィルタリングステップの間に考慮される第１のピクセル及び近傍のピクセルは、すべて等高線１０４上にあり、仮想ボックス４０１内に位置し、すなわち、第１のピクセル１０９から最大距離以下のところにある。
【００４５】
この最小フィルタリングステップの後、ボックス４０１は、（元の）対象データ内を、等高線１０４に沿って１ピクセル分遠くに移動され、「新しい」第１のピクセルは、現在ピクセル１１１である。同じプロシージャが、現在ピクセル１１１について実施され、これは結果的に、最小フィルタード画像において、ピクセル１１１の値を、（１ピクセル分右に移動された）ボックス４０１内の近傍ピクセルの中の１つのより低いピクセル値と置き換える。この方法は、等高線１０４上の各ピクセルについて実施されることができ、その後、皮膚ラインから１ピクセル分近い又遠い第２の等高線が決定される。関心対象の周辺領域のすべてのピクセルが、最小フィルタリング中に「第１のピクセル」になったのち、最小フィルタリングはストップすることができる。
【００４６】
図５は、本発明の例示的な実施形態による方法のフローチャートを示す。ステップ５０１において、画像データが、検査装置によって取得され、ステップ５０２においてストレージユニットに記憶される。初期画像データからの対象データ（すなわち乳房）及び非対象データのセグメント化が、ステップ５０３において、適当なセグメント化方法を使用することによって、実施される。対象データから、乳房皮膚ラインまで同じ距離を有する、及び／又は、乳房が一定の厚さを有するラインに沿って延びる、等高線が導出される（ステップ５０４）。最小フィルタリングは負のノイズスパイクを受けやすいので、ステップ５０５において、対象データ又は画像は、ノイズピークを除くために小さいローパスフィルタによりブラー処理される。
【００４７】
ステップ５０６において、各々の画像ピクセルを最小フィルタリングすることによって、出力画像が生成され、それは、所与の距離について同じ等高線ラインに沿って最小ピクセル値を調べることを含み、例えば両方向において１５又は２０のピクセルである。これは、乳房の等高線に沿ってより少ない高強度ピクセルを有し及びより多くのバックグラウンドピクセルを有する画像を与える。ステップ５０７において、画像は、乳房厚さの評価を得るために、１又は複数の周辺均等化方法により処理されることができ、それは、ステップ５０８において、最終の補正のために使用される。
【００４８】
厚さ評価は複数の構造を組み込みうるので、最小フィルタード画像自体が適さないことがある。平均レベルの評価のためのローパスフィルタリングが、最小フィルタ後もなお必要とされることがある。
【００４９】
本発明は、図面及び上述の説明において詳細に示され記述されているが、このような図示及び説明は、制限的なものではなく、説明的又は例示的なものと考えられることができる。本発明は、開示された実施形態に制限されない。
【００５０】
開示された実施形態に対する他の変更例は、図面、開示及び添付の請求項の検討から、請求項に記載の本発明を実施する際に当業者によって理解され達成されることができる。請求項において、「含む、有する（comprising）」という語は、他の構成要素又はステップを除外せず、不定冠詞「a」又は「an」は、複数性を除外しない。単一プロセッサ又は他のユニットは、請求項に列挙されるいくつかのアイテムの機能を果たすことができる。特定の手段が相互に異なる従属請求項に列挙されているという単なる事実は、これらの手段の組み合わせが有利に使用されることができないことを示さない。コンピュータプログラムは、他のハードウェアと共に又はその一部として供給される光学記憶媒体又はソリッドステート媒体のような適切な媒体に記憶され／配布されることができるが、他の形態で、例えばインターネット又は他のワイヤード又はワイヤレス通信システムを通じて、配布されることができる。請求項における任意の参照符号は、請求項の範囲を制限するものとして解釈されるべきでない。
【符号の説明】
【００５１】
１００  検査装置、１０１  ストレージユニット、１０２  関心対象、１０３  処理ユニット、１０４  等高線、１０５  一定の距離、１０６  周辺縁部（皮膚ライン）、１０７  対象データ、１０８  非対象データ、１０９  第１のピクセル、１１０  第２のピクセル、１１１  ピクセル、１２１  圧縮プレート、１２２  圧縮プレート、１２３  Ｘ線源、１２４  中心領域、１２５  周辺の非圧迫領域、２０１  元の画像、２０２  画像、２０３  画像、２０４  ダイアグラム、２０５  プロット、２０６  プロット、２０７  プロット、２０８  交差、４０１  ボックス、５０１  方法ステップ、５０２  方法ステップ、５０３  方法ステップ、５０４  方法ステップ、５０５  方法ステップ、５０６  方法ステップ、５０７  方法ステップ、５０８  方法ステップ。
【図１】
0006383494.tif 000002
【図２】
0006383494.tif 000003
【図３】
0006383494.tif 000004
【図４】
0006383494.tif 000005
【図５】
0006383494.tif 000006